(57)【要約】【課題】全長が長い撮像レンズを装着しても広視野を観察することを可能にしたサブカメラを有する撮像装置を提供すること。【解決手段】記録用の画像を取得するメインカメラと、観察用の画像を取得表示するサブカメラと、サブカメラをメインカメラに固定するサブカメラ固定部と、サブカメラに表示される画像を観察するサブカメラ観察部からなることを特徴とする。【選択図】図１
2016129275.tif 000002
【特許請求の範囲】
【請求項１】
記録用の画像を取得するメインカメラと、観察用の画像を取得表示するサブカメラと、サブカメラをメインカメラに固定するサブカメラ固定部と、サブカメラに表示される画像を観察するサブカメラ観察部からなることを特徴とする撮像装置。
【請求項２】
前記メインカメラが、交換可能な撮像レンズと、撮像レンズを装着するカメラボディからなり、前記カメラ固定部はサブカメラを撮像レンズの物体側に固定することを特徴とする請求項１に記載の撮像装置。
【請求項３】
前記サブカメラは、画像を取得するサブ撮像レンズと、取得した画像を電子化するサブ撮像センサーと、取得した画像を表示するサブモニタからなることを特徴とする請求項１に記載の撮像装置。
【請求項４】
前記サブカメラ固定部は、前記サブカメラの姿勢を調整することが可能であることを特徴とする請求項１に記載の撮像装置。
【請求項５】
前記サブカメラ観察部は、観察光学系を有することを特徴とする請求項１に記載の撮像装置。
【請求項６】
前記サブカメラは、画像を取得するサブ撮像レンズと、取得した画像を電子化するサブ撮像センサーと、取得した画像を表示するサブモニタと、サブ撮像センサーの画像を制御するサブカメラ制御部と、サブカメラサブカメラ観察部からの情報を検知するサブカメラ通信部とを有し、
前記サブカメラ観察部は、撮影者の状態を取得する撮影者検知部と、撮影者検知部で検知した情報を処理する観察側制御部と、検知した情報をサブカメラに送信する観察側通信部からなり、
サブカメラ制御部はサブカメラ通信部で受け取った情報にも続きサブモニタへの表示画像を制御することを特徴とする請求項１に記載の撮像装置。
【請求項７】
記録用の画像を取得するメインカメラと、観察用の画像を取得表示するサブカメラと、サブカメラをメインカメラに固定するサブカメラ固定部からなり、前記メインカメラは、交換可能な撮像レンズと、撮像レンズを装着するカメラボディからなり、前記カメラ固定部はサブカメラを撮像レンズの物体側に固定することを特徴とする撮像装置。
【発明の詳細な説明】
【技術分野】
【０００１】
本発明は、画像を撮影する撮像装置に関し、特に望遠撮影が容易になる望遠撮像装置に関する。
【背景技術】
【０００２】
撮影装置において撮影者が被写体を観察するいわゆるファインダーには撮像レンズの画角の画像が表示される。このとき撮影対象である被写体が撮影視野（撮像レンズの画角）の外にはずれてしまうと撮影者は被写体を見失ってしまうという課題があった。
【０００３】
この課題を解決するため特許文献１では、撮影装置に撮像レンズよりも広視野のサブカメラを設け、撮影時には撮影者はサブカメラの映像を見ながら撮影することにより、被写体を見失うことを防ぐ構成が開示されている
【先行技術文献】
【特許文献】
【０００４】
【特許文献１】特開２００８−９６５８４号公報
【発明の概要】
【発明が解決しようとする課題】
【０００５】
しかしながら、上述の特許文献１に開示された従来技術では、撮像装置に全長の長い撮像レンズを装着するとサブカメラの視野を撮像レンズが塞いでしまい、被写体を確認することができなくなってしまう。
【０００６】
そこで、本発明の目的は、全長が長い撮像レンズを装着しても広視野を観察することを可能にしたサブカメラを有する撮像装置を提供することにある。
【課題を解決するための手段】
【０００７】
上記目的を達成するために、本発明の撮像装置は、記録用の画像を取得するメインカメラと、観察用の画像を取得表示するサブカメラと、サブカメラをメインカメラに固定するサブカメラ固定部と、サブカメラに表示される画像を観察するサブカメラ観察部からなることを特徴とする。
【発明の効果】
【０００８】
本発明によれば、全長が長い撮像レンズを装着しても広視野を観察することを可能にしたサブカメラを有する撮像装置の提供を実現できる。
【図面の簡単な説明】
【０００９】
【図１】第１の実施例の構成を説明する図
【図２】第１の実施例におけるサブカメラの構成を説明する図
【図３】第１の実施例におけるサブカメラの回路構成を説明する図
【図４】第１の実施例におけるサブカメラ取付部と撮像レンズ取付部を説明する図
【図５】第１の実施例におけるサブカメラ取付部と撮像レンズ取付部の接続部位を説明する図
【図６】第１の実施例におけるサブカメラ取付部にサブカメラを取り付ける方法を説明する図
【図７】第１の実施例におけるサブカメラ取付部にサブカメラを取り付ける方法を説明する図
【図８】第１の実施例におけるサブカメラ取付部にサブカメラを取り付ける方法を説明する図
【図９】第１の実施例におけるサブカメラ観察部の構成を説明する図
【図１０】第１の実施例におけるサブカメラ観察部の回路構成を説明する図
【図１１】第１の実施例におけるサブカメラ観察部の固定方法を説明する図
【図１２】第１の実施例におけるサブカメラ観察部の固定方法を説明する図
【図１３】第１の実施例におけるサブカメラの駆動制御を説明する図
【図１４】第２の実施例の構成を説明する図
【図１５】第２の実施例におけるサブカメラ取付部と撮像レンズ取付部を説明する図
【図１６】第２の実施例におけるサブカメラ観察部の構成を説明する図
【図１７】第２の実施例におけるサブカメラ観察部の回路構成を説明する図
【図１８】第２の実施例におけるサブカメラ観察部の固定方法を説明する図
【図１９】第２の実施例におけるメニューの制御を説明する図
【発明を実施するための形態】
【００１０】
以下に、本発明の好ましい実施の形態を、添付の図面に基づいて詳細に説明する。
【実施例１】
【００１１】
図１を参照して、本発明の第１の実施例による、撮像装置について説明する。１は保存用の画像を撮像するメインカメラで、１１はメインカメラにおける撮像レンズ、１２は撮像レンズ１１が固定されるカメラボディ部である。カメラボディ部１２には不図示の撮像センサーが構成され、撮像レンズ１１の画像を電子データに変換し、保存可能である。
【００１２】
２は撮像レンズ１１よりも広い画角の画像を取得表示するサブカメラである。３はサブカメラ２を撮像レンズ１１の物体側に固定するサブカメラ固定部である。４はサブカメラ２に表示される映像を拡大観察するサブカメラ観察部でカメラボディ部１２に固定される。
【００１３】
図２、図３はサブカメラ２の構成を説明する図である。２１はサブ撮像レンズで、２２はサブ撮像センサで、２３はサブモニタで、２４サブカメラ通信部で、２５はサブカメラ制御部である。サブ撮像レンズ２１の画像はサブ撮像センサー２２で電子化され、サブカメラ制御部２５の制御でサブモニタ２３に表示される。
【００１４】
図４、図５はサブカメラ固定部３を説明する図である。３１はサブカメラ２を挟み込むように固定するサブカメラ取付部で、３２はサブカメラ取付部３１を撮像レンズ１１に固定するための撮像レンズ取付部である。図４に示すように撮像レンズ取付部は撮像レンズ１１のさまざまな径に対応できるように調整可能なベルトを巻きつける構成である。図５に示すようにサブカメラ取付部３２と撮像レンズ取付部３３の接続部はヒンジ構造をしており、サブカメラ２の姿勢を撮像レンズ１１に対して自在に調整できる構造となる。
メインカメラ１の撮影画像とサブカメラ２の撮影画像を比較し、画像の中心がほぼ一致するように撮影者はサブカメラ２の姿勢を調整し、２つのカメラのパララックスを補正する。図６に示すようにサブカメラ２はサブカメラ取付部３１に挿入する。ここで、図７に示す制圧部Ｐが不図示のばねなどに押され、図８のようにサブカメラを押しつけてサブカメラ取付部に固定する。
【００１５】
図９、図１０はサブカメラ観察部４の構成を説明する図である。４１はサブモニタ２３に表示される映像を拡大するための観察光学系で、４２は撮影者の撮影状態を検知する撮影者検知部である撮影者センサーで、４３は観察側通信部で、４４は観察側制御部である。図９に示すように観察光学系４１は、正屈折力の対物レンズ群４５と負屈折力の接眼レンズ群４６で構成することで、目視で拡大観察が可能となる。観察光学系４１でサブモニタ２３を観察し、画像が鮮明に見えないときには観察光学系の視度を調整する。
【００１６】
撮影者センサー４２は、不図示の光源とフォトセンサからなり、光源からの光を撮影者で反射散乱させ、フォトセンサで光量を検出し出力データとして出力するものである。
【００１７】
図１０に示すように観察側制御部４４は、撮影者センサー４２からの出力信号により、撮影者が観察光学系４１に目を近づけるか否かを判断し、目を近づけていると判断したときには観察側通信部４３を介して撮影中の信号を発信する。
【００１８】
図１１、図１２はサブカメラ観察部４をカメラボディ部１２に固定する方法を説明する図で、図１１が側面図、図１２が背面図である。図１１，１２に示すようにサブカメラ観察部４はメインカメラ１のカメラボディ部１２のストロボホットシューＨにスライドして固定される。
【００１９】
図１３を用いてサブカメラ制御部２５が観察側通信部からの信号に基づいてサブカメラを制御するフローを説明する。
Ｓｔｅｐ１  サブカメラ２、サブカメラ観察部４を起動して撮影状態にする。
Ｓｔｅｐ２  サブカメラ制御部２５はサブカメラ通信部２４を介して観察側通信部からの信号を受信する。
Ｓｔｅｐ３  サブカメラ制御部２５は撮影中の信号の有無を判断し、撮影中と判断したときにはＳｔｅｐ２に戻り、撮影状態を維持する。信号がなく撮影中ではないと判断したときは、Ｓｔｅｐ４へ進む。
Ｓｔｅｐ４  サブカメラ制御部２５はサブ撮像センサー２２を停止するとともに、サブモニタ２３の照明を消し、モニタ表示を停止する省エネモードに移行する。
Ｓｔｅｐ５  サブカメラ制御部２５はサブカメラ通信部２４を介して観察側通信部からの信号を受信する。
Ｓｔｅｐ６  サブカメラ制御部２５は撮影中の信号の有無を判断し、撮影が再開していないと判断したときにはＳｔｅｐ５に戻り、省エネモードを維持する。信号があり撮影再開と判断したときは、Ｓｔｅｐ７へ進む。
Ｓｔｅｐ７  ブカメラ制御部２５はサブ撮像センサー２２を駆動するとともに、サブモニタ２３の照明を点灯し、モニタ表示を再開し、Ｓｔｅｐ１へ復帰する。
【００２０】
これにより、サブカメラ２とサブカメラ観察部のバッテリの消耗を抑制することができる。
【実施例２】
【００２１】
本発明の第２の実施例について説明する。１０１は保存用の画像を撮像するメインカメラで、１１１はメインカメラにおける撮像レンズ、１１２は撮像レンズ１１が固定されるカメラボディ部である。カメラボディ部１１２には不図示の撮像センサーが構成され、撮像レンズ１１１の画像を電子データに変換し、保存可能である。
【００２２】
２は撮像レンズ１１１よりも広い画角の画像を取得表示するサブカメラである。１０３はサブカメラ２を撮像レンズ１１の物体側に固定するサブカメラ固定部である。１０４はサブカメラ２に表示される映像を拡大観察するサブカメラ観察部で撮像レンズ１１１に固定される。ここで、サブカメラ２の構成は実施例１と同じである。
【００２３】
図１５はサブカメラ固定部１０３を説明する図である。１３１は伸縮性のある素材からなりサブカメラ２をはめ込みサブカメラ２全体を包み込むように固定するサブカメラ取付部で、１３２はサブカメラ取付部を撮像レンズ１１１に固定するための撮像レンズ取付部である。撮像レンズ取付部１３２は撮像レンズ１１１にビスＢで固定される。そのため撮像レンズ１１１にはビス穴があけられている。サブカメラ取付部１３２と撮像レンズ取付部１３３の接続部は実施例１と同じようにサブカメラ２の姿勢を撮像レンズ１１１に対して自在に調整できる構造となる。
【００２４】
図１６、図１７はサブカメラ観察部１０４の構成を説明する図である。１４１はサブモニタ２３に表示される映像を拡大するための観察光学系で、１４２は撮影者の視線を検知する撮影者検知部である視線センサーで、１４３は観察側通信部で、１４４は観察側制御部である。図１６に示すように観察光学系１４１は、正屈折力の対物レンズ群１４５と正屈折力の接眼レンズ群１４６で構成することで、目視で拡大観察が可能となる。このときサブモニタ２３にする画像は天地反転した画像を表示する。また、観察光学系１４１でサブモニタ２３を観察し、画像が鮮明に見えないときには観察光学系の視度を調整する。
【００２５】
視線センサー１４２は、撮影者の瞳孔を撮影する不図示の撮像系からなり、撮像した瞳孔画像を出力データとして出力するものである。
【００２６】
図１７に示すように観察側制御部１４４は、視線センサー１４２からの出力画像により、撮影者の視線方向を計算し、観察側通信部１４３を介して視線情報を発信する。
【００２７】
図１８はサブカメラ観察部１０４を撮像レンズ１１１に固定する方法を説明する背面図である。サブカメラ観察部１０４は図１５に示したサブカメラ固定部１０３と同様に撮像レンズ１１１にビスＢで固定される。
【００２８】
図１９を用いて視線情報に基づくサブカメラの制御を説明する。サブカメラ制御部２５は、サブモニタ２３にメニューを表示し、サブカメラ観察部１０４からの視線情報に基づき、メニューを選択し、メニューに応じた制御を実行する。
【００２９】
図１９には４つのボタンを表示している。左上と右上のＴとＷのボタンは、サブモニタ２３に表示する画像の拡大縮小を制御する。Ｔボタンを注視すると、サブカメラ制御部２５はサブモニタ２３に表示する画像を拡大表示し、Ｗボタンを注視すると、サブカメラ制御部２５はサブモニタ２３に表示する画像を縮小表示する。画像の拡大縮小は、サブ撮像カメラ２１をズームレンズとし、レンズを駆動することで制御してもよいし、サブ撮像カメラ２１を単レンズとし、撮像画像を切り出して制御してもよい。
【００３０】
左下のＣボタンは、画像チェックでメインカメラ１で撮像した画像を受信して、サブモニタに表示し、撮影者は頭を移動することなく撮影画像のチェックをすることができる。元のメニュー画像に復帰するときは再度Ｃボタンを注視する。
【００３１】
右下のＯｎ／Ｏｆｆは視線入力のオン、オフを制御し、オフ状態（他のメニューを表示していない状態）で、ここを注視するとオン状態（他のメニューを表示する状態）に切替え、オン状態で注視するとオフ状態に切り替える。
【００３２】
以上、本発明の好ましい実施形態について説明したが、本発明はこれらの実施形態に限定されず、その要旨の範囲内で種々の変形及び変更が可能である。また、サブカメラ２もスマートフォンやコンパクトカメラなど既成のカメラを使ってもよい。
【００３３】
静止画や動画の撮影において、被写体追従や構図決定をしやすくなる。
【符号の説明】
【００３４】
１  メインカメラ、２  サブカメラ、３  サブカメラ固定部、４  サブカメラ観察部
【図２】
2016129275.tif 000003
【図３】
2016129275.tif 000004
【図６】
2016129275.tif 000005
【図１０】
2016129275.tif 000006
【図１１】
2016129275.tif 000007
【図１３】
2016129275.tif 000008
【図１７】
2016129275.tif 000009
【図１】
2016129275.tif 000010
【図４】
2016129275.tif 000011
【図５】
2016129275.tif 000012
【図７】
2016129275.tif 000013
【図８】
2016129275.tif 000014
【図９】
2016129275.tif 000015
【図１２】
2016129275.tif 000016
【図１４】
2016129275.tif 000017
【図１５】
2016129275.tif 000018
【図１６】
2016129275.tif 000019
【図１８】
2016129275.tif 000020
【図１９】
2016129275.tif 000021